(57)【要約】      （修正有）【課題】複数の物品を、容易に個別に束縛して連結可能とするバンド部材を提供する。【解決手段】バンド部材１は、一定の幅をもつ円筒環状のゴムバンドの周方向に、連結部１２を残して当該ゴムバンドを環部１４Ａと環部１４Ｂとに２分する直線状の切り込み１１を入れた構造から成る。なお、上記ゴムバンドに形成された切り込み１１の両端部１３には、それぞれ当該ゴムバンド外周面から内周面へ貫通する略円形の穴が形成される。切り込み１１で環部１４Ａおよび環部１４Ｂを切り開くことができる。切り込み１１で環部１４Ａおよび環部１４Ｂを切り開くと、環部１４Ａおよび環部１４Ｂが連結部１２で直列に連結した態様で使用することができる。環部１４Ａおよび環部１４Ｂは、それぞれ独立して伸縮性および変形性を有するので、各々に束縛した物品を連結させることができる。【選択図】図１
0003148344.tif 000002
【実用新案登録請求の範囲】
【請求項１】
伸縮性を有し、且つ環形状を成す第１環状部材と、
伸縮性を有し、且つ環形状を成す第２環状部材と、
前記第１環状部材および第２環状部材を各々の周面上の一部となる１箇所で連結する第１連結部とを少なくとも備えるバンド部材。
【請求項２】
前記第１環状部材、前記第２環状部材、および前記第１連結部は、同一の素材で一体形成される、請求項１に記載のバンド部材。
【請求項３】
前記第１連結部は、環状を成す単一の伸縮部材の略周方向に形成される切り込みにおいて切り残された当該伸縮部材の一部であり、
前記第１環状部材は、前記切り込みにより分割された当該伸縮部材の一方部位であり、
前記第２環状部材は、前記切り込みにより分割された当該伸縮部材の他方部位である、請求項２に記載のバンド部材。
【請求項４】
前記連結部の両端に相当する前記切り込みの両端部は円弧状、または楕円弧状に形成されることを特徴とする、請求項３に記載のバンド部材。
【請求項５】
前記切り込みは、前記伸縮部材の外周面の中央を通るよう直線状に形成されることを特徴とする、請求項３に記載のバンド部材。
【請求項６】
前記伸縮部材は、開口面が互いに平行な筒環状を成し、
前記切り込みは、前記伸縮部材の周方向に、前記開口面と平行に形成されることを特徴とする、請求項３に記載のバンド部材。
【請求項７】
前記切り込みは、波状または鋸刃状に形成されることを特徴とする、請求項３に記載のバンド部材。
【請求項８】
前記切り込みは、前記環状の伸縮部材の周面に螺旋状に形成されることを特徴とする、請求項３に記載のバンド部材。
【請求項９】
伸縮性を有し、且つ環形状を成す第３環状部材と、
前記第２環状部材と前記第３環状部材とを１箇所で連結する第２連結部とをさらに備える、請求項１に記載のバンド部材。
【請求項１０】
前記第１環状部材、前記第２環状部材、前記第３環状部材、前記第１連結部、および前記第２連結部は、同一の素材で一体形成される
前記第１連結部は、環状を成す単一の伸縮部材の周方向に形成される第１の切り込みにおいて切り残された当該伸縮部材の一部であり、
前記第２連結部は、前記伸縮部材の周方向に形成される、第１の切り込みと交わらない第２の切り込みにおいて切り残された当該伸縮部材の一部であり、
前記第１環状部材は、前記第１の切り込み、および前記第２の切り込みにより３分割されて成る前記伸縮部材の３つの部位のうち一方端側の部位であり、
前記第２環状部材は、前記第１の切り込み、および前記第２の切り込みにより３分割されて成る前記伸縮部材の３つの部位のうち中央の部位であり、
前記第３環状部材は、前記第１の切り込み、および前記第２の切り込みにより３分割されて成る前記伸縮部材の３つの部位のうち他方端側の部位である、請求項９に記載のバンド部材。
【請求項１１】
前記第１連結部および前記第２連結部は、前記第２環状部材の環の周上において互いに相対向する位置に配置されることを特徴とする、請求項９に記載のバンド部材。
【請求項１２】
前記第１連結部および前記第２連結部は、前記第２環状部材の環の周上において略同一箇所に配置されることを特徴とする、請求項９に記載のバンド部材。
【請求項１３】
伸縮性を有し、且つ環形状を成す、Ｎ個の環状部材と、
前記Ｎ個の環状部材を、各々、周面上の一部となる１箇所で直列に連結するＮ−１個の連結部と、
前記Ｎ−１個の連結部により直列に連結された前記Ｎ個の環状部材のうち、端に位置する環状部材と、前記第１環状部材または前記第３環状部材の何れかとを、各々の周面上の一部となる１箇所で連結する第Ｎ連結部とをさらに備える、請求項９に記載のバンド部材。
【請求項１４】
前記第１環状部材、前記第２環状部材、および前記連結部は、ゴム素材で一体形成される、請求項２に記載のバンド部材。
【考案の詳細な説明】
【技術分野】
【０００１】
本考案はバンド部材に関し、より特定的には、伸縮性を有するバンド部材に関する。
【背景技術】
【０００２】
従来、ゴムバンドなどの、伸縮性を有し、物品を束縛する種々のバンドが考案されている。
【０００３】
上記のようなバンドが、例えば、特許文献１に開示されている。特許文献１に開示されるゴムバンドは、一本のゴムバンドに所定の切れ目部を形成することにより、容易に物品を十時掛けして束縛することができる。
【特許文献１】実開平５−２６８６５号公報
【考案の開示】
【考案が解決しようとする課題】
【０００４】
一般的に、雑誌に付録を添付したり、ペットボトル飲料におまけを添付したり等、ある商品に物品を添付して流通させることがある。そして、例えば、比較的大きく厚みのある付録を雑誌に添付する場合、当該付録と雑誌とを上記特許文献１に開示されるゴムバンドやビニール製の紐などで十時掛けする等して束縛する方法が用いられる。しかしながら、上記のように雑誌と付録を十時掛けして束縛してしまうと、当該雑誌の内容を閲覧することができなくなってしまい、不便であった。
【０００５】
また、例えば、ペットボトル飲料におまけを添付する場合、おまけの形状に適合するよう形成された固定具や包装を用意し、当該固定具や包装を介しておまけとペットボトルとを連結する必要があった。そのため、ペットボトルの形状、またはおまけの形状が変更されると、当該変更に合わせて上記固定具や包装を変更する必要があり、コストがかかっていた。
【０００６】
本考案は上記の課題を鑑みて成されたものであり、複数の物品を、容易に個別に束縛し、連結可能とするバンド部材を提供することを目的とする。
【課題を解決するための手段】
【０００７】
上記の課題を解決するため、本願考案は以下の構成を採用した。すなわち、第１の考案は、伸縮性を有し、且つ環形状を成す第１環状部材と、伸縮性を有し、且つ環形状を成す第２環状部材と、第１環状部材および第２環状部材を各々の周面上の一部となる１箇所で連結する第１連結部とを少なくとも備えるバンド部材である。
【０００８】
第２の考案は、第１の考案において、第１環状部材、第２環状部材、および第１連結部は、同一の素材で一体形成されることを特徴とする。
【０００９】
第３の考案は、第２の考案において、第１連結部は、環状を成す単一の伸縮部材の略周方向に形成される切り込みにおいて切り残された当該伸縮部材の一部であり、第１環状部材は、切り込みにより分割された当該伸縮部材の一方部位であり、第２環状部材は、切り込みにより分割された当該伸縮部材の他方部位であることを特徴とする。
【００１０】
第４の考案は、第３の考案において、連結部の両端に相当する切り込みの両端部は円弧状、または楕円弧状に形成されることを特徴とする。
【００１１】
第５の考案は、第３の考案において、切り込みは、伸縮部材の外周面の中央を通るよう直線状に形成されることを特徴とする。
【００１２】
第６の考案は、第３の考案において、伸縮部材は、開口面が互いに平行な筒環状を成し、切り込みは、伸縮部材の周方向に、開口面と平行に形成されることを特徴とする。
【００１３】
第７の考案は、第３の考案において、切り込みは、波状または鋸刃状に形成されることを特徴とする。
【００１４】
第８の考案は、第３の考案において、切り込みは、環状の伸縮部材の周面に螺旋状に形成されることを特徴とする。
【００１５】
第９の考案は、第１の考案において、伸縮性を有し、且つ環形状を成す第３環状部材と、第２環状部材と第３環状部材とを１箇所で連結する第２連結部とをさらに備える。
【００１６】
第１０の考案は、第９の考案において、第１環状部材、第２環状部材、第３環状部材、第１連結部、および第２連結部は、同一の素材で一体形成される第１連結部は、環状を成す単一の伸縮部材の周方向に形成される第１の切り込みにおいて切り残された当該伸縮部材の一部であり、第２連結部は、伸縮部材の周方向に形成される、第１の切り込みと交わらない第２の切り込みにおいて切り残された当該伸縮部材の一部であり、第１環状部材は、第１の切り込み、および第２の切り込みにより３分割されて成る伸縮部材の３つの部位のうち一方端側の部位であり、第２環状部材は、第１の切り込み、および第２の切り込みにより３分割されて成る伸縮部材の３つの部位のうち中央の部位であり、第３環状部材は、第１の切り込み、および第２の切り込みにより３分割されて成る伸縮部材の３つの部位のうち他方端側の部位であることを特徴とする。
【００１７】
第１１の考案は、第９の考案において、第１連結部および第２連結部は、第２環状部材の環の周上において互いに相対向する位置に配置されることを特徴とする。
【００１８】
第１２の考案は、第９の考案において、第１連結部および第２連結部は、第２環状部材の環の周上において略同一箇所に配置されることを特徴とする。
【００１９】
第１３の考案は、第９の考案において、伸縮性を有し、且つ環形状を成す、Ｎ個の環状部材と、Ｎ個の環状部材を、各々、周面上の一部となる１箇所で直列に連結するＮ−１個の連結部と、Ｎ−１個の連結部により直列に連結されたＮ個の環状部材のうち、端に位置する環状部材と、第１環状部材または第３環状部材の何れかとを、各々の周面上の一部となる１箇所で連結する第Ｎ連結部とをさらに備えることを特徴とする。
【００２０】
第１４の考案は、第２の考案において、第１環状部材、第２環状部材、および連結部は、ゴム素材で一体形成されることを特徴とする。
【考案の効果】
【００２１】
第１の考案によれば、複数の物品を、容易に個別に束縛し、各々連結させることができる。また、伸縮性を有する部材で物品を束縛できるため、様々な形状の物品を容易に束縛可能である。
【００２２】
第２の考案によれば、バンド部材の作成のために用意するべき材料が１種で済み、低コストで第１の考案のバンド部材を作成できる。
【００２３】
第３の考案によれば、簡単な形成方法で第２の考案に係るバンド部材を作成することができる。
【００２４】
第４の考案によれば、切り込みの端部から裂け目が生ずることを防ぎ、バンド部材の破損を防ぐことができる。
【００２５】
第５の考案によれば、簡単な形成方法で第３の考案に係るバンド部材を作成することができる。
【００２６】
第６の考案によれば、環状部材を一定の幅となるよう形成することができるため、当該環状部材を伸縮させても破損し難い。
【００２７】
第７の考案によれば、環状部材で束縛されていた物品を取り外す際に、当該環状部材と物品との間に手を入れ易く、上記取り外し作業を容易に行うことができる。また、バンド部材に容易に高いデザイン性を付与することができる。
【００２８】
第８の考案によれば、各環状部材を連結する連結部を紐状に形成することができるため、各環状部材で各々に束縛されている物品間に所定の距離を設けることができる。
【００２９】
第９の考案によれば、複数の物品を３つに分けて束縛し、連結させることができる。
【００３０】
第１０の考案によれば、簡単な形成方法で第９の考案に係るバンド部材を作成することができる。
【００３１】
第１１の考案によれば、３つに分けて束縛した複数の物品を、直列に連結させることができる。
【００３２】
第１２の考案によれば、３つ分けて束縛した複数の物品を一箇所で連結させることができる。
【００３３】
第１３の考案によれば、４つ以上に分けて束縛した複数の物品を連結させることができる。
【００３４】
第１４の考案によれば、加工および形成が容易なゴム素材を用いて第２の考案に係るバンド部材を作成することができる。また、従来周知のゴムバンドを加工して、容易に第２の考案に係るバンド部材を作成することができる。
【考案を実施するための最良の形態】
【００３５】
（第１の実施形態）
以下、図１から図３を参照して、本考案の第１の実施形態に係るバンド部材１について説明する。
【００３６】
まず、図１を参照してバンド部材１の構造について説明する。図１は、バンド部材１の斜視図である。バンド部材１は、図１に示すように、一定の幅をもつ円筒環状のゴムバンドの周方向に、連結部１２を残して当該ゴムバンドを環部１４Ａと環部１４Ｂとに２分する直線状の切り込み１１を入れた構造から成る。なお、上記ゴムバンドに形成された切り込み１１の両端部１３には、それぞれ当該ゴムバンド外周面から内周面へ貫通する略円形の穴が形成される。
【００３７】
上記のような構造から成るバンド部材１は、ゴム素材で一体的に形成されていることから、図２に示すように、切り込み１１で環部１４Ａおよび環部１４Ｂを切り開くことができる。なお、図２は、バンド部材１を切り込み１１で切り開いた様子を示す図である。切り込み１１で環部１４Ａおよび環部１４Ｂを切り開くと、環部１４Ａおよび環部１４Ｂが連結部１２で直列に連結した態様で使用することができる。環部１４Ａおよび環部１４Ｂは、上記の通り元々がゴムバンドであるため、伸縮性および変形性をそれぞれ有し、多様な形状の物品を各々に束縛することができる。したがって、バンド部材１によれば、環部１４Ａおよび環部１４Ｂ各々に束縛した物品を連結させることができる。
【００３８】
次に、図３を参照してバンド部材１の使用例について説明する。図３は、バンド部材１を用いて雑誌２００に付録３００を備え付けた様子を示す図である。雑誌２００は、例えば、ファッション誌などの一般的な雑誌である。付録３００は、雑誌２００に挟み込める程度の大きさの付録およびそれを梱包する直方体形状の梱包材であり、例えば、ブレスレットなどの小物を梱包した紙箱などである。
【００３９】
図３においては、付録３００は、短手方向に環部１４Ａにより束縛される。また、雑誌２００は、適当な頁を開いた状態で、綴じしろ近傍を縦方向に環部１４Ｂにより束縛される。ここで、バンド部材１は伸縮変形性を有するゴム素材で一体的に形成されているため、連結部１２において環部１４Ａおよび環部１４Ｂを、互いにねじれ方向へねじることができる。したがって、バンド部材１によれば、付録３００を任意の向きで雑誌２００と連結することが可能である。故に、バンド部材１を用いれば、図３に示すように、雑誌２００の中に比較的大きな付録３００を綴じ込みつつ、当該雑誌の内容を閲覧可能な状態にすることができる。
【００４０】
なお、バンド部材１では、上記の通り切り込み１１の両端部１３に略円形の穴が形成されている。すなわち、連結部１２の両端の輪郭が円弧状に形成されている。このように、連結部１２の両端を円弧状に形成することにより、バンド部材１を図２のように環部１４Ａおよび環部１４Ｂを切り込み１１で切り開いた態様や、図３のように環部１４Ａおよび環部１４Ｂをねじった態様で使用しても、両端部１３への応力集中が緩和されるため連結部１２に亀裂が発生し難くなり、バンド部材１の破損を防ぐことができる。
【００４１】
なお、上記図３の説明では付録３００が短手方向で環部１４Ａに束縛される例を示したが、環部１４Ａは伸縮性を有するため、束縛方向は上記に限らず、付録３００を任意方向で束縛可能である。また、環部１４Ａは、複数の付録をまとめて束縛しても構わない。
【００４２】
また、上記図３の説明ではバンド部材１が雑誌２００に付録３００を連結させる例を示したが、バンド部材１が束縛および連結する物品は雑誌２００および付録３００に限らず、種々の物品を束縛して連結して良い。なお、バンド部材１により束縛可能な物品は、伸張していない状態の環部１４Ａおよび環部１４Ｂよりも大きく、また、環部１４Ａおよび環部１４Ｂが切断されない程度の大きさであるものとする。
【００４３】
（第２の実施形態）
上記第１の実施形態では、ゴムバンドに直線状の切り込み１１を形成してバンド部材１を構成する例を示したが、ゴムバンドに鋸刃状の切り込みを形成してバンド部材を構成しても構わない。以下、図４および図５を参照して、第２の実施形態に係るバンド部材２について説明する。
【００４４】
図４は、バンド部材２の斜視図である。図４に示すようにバンド部材２は、一定の幅をもつ円筒環状のゴムバンドの周方向に、連結部２２を残して当該ゴムバンドを環部２４Ａと環部２４Ｂとに２分する鋸刃状の切り込み２１を入れた構造から成る。なお、上記ゴムバンドに形成された切り込み２１の両端部２３には、それぞれ当該ゴムバンド外周面から内周面へ貫通する略円形の穴が形成される。
【００４５】
上記のような構造から成るバンド部材２は、ゴム素材で一体的に形成されていることから、図５に示すように、切り込み２１で環部２４Ａおよび環部２４Ｂを切り開くことができる。なお、図５は、バンド部材２を切り込み２１で切り開いた様子を示す図である。切り込み２１で環部２４Ａおよび環部２４Ｂを切り開くと、切り込み２１により切り分けられて形成される環部２４Ａの切断部２５Ａおよび環部２４Ｂの切断部２５Ｂは、何れも鋸刃形状を成す。上記の通り、バンド部材２では切断部２５Ａおよび切断部２５Ｂに、それぞれ鋸刃状の凹凸が形成されるため、例えば、環部２４Ａおよび環部２４Ｂ各々で束縛した物品から当該各環部を取り外す際、各々の切断部の凸部に指をかければ、各環部と物品との間に手を入れ易く、当該取り外し作業が容易となる。また、例えば、環部２４Ａおよび環部２４Ｂの各々に束縛される物体が束縛方向に角を有する物品である場合、当該物品が束縛方向へ回転する際、当該物品の角が切断部２５Ａおよび切断部２５Ｂに形成される鋸刃状の凹凸に引っ掛かるため、当該物品の回転を防ぐことができる。また、バンド部材２は、上記の通り切断部２５Ａおよび切断部２５Ｂにおいて第１の実施形態に係るバンド部材１とは異なるデザイン性を有し、当該デザイン性は鋸刃状の切り込みを形成するという簡単な形成方法によって容易に付与することができる。
【００４６】
（第３の実施形態）
上記第２の実施形態では、ゴムバンドに鋸刃状の切り込み２１を形成してバンド部材２を構成する例を示したが、ゴムバンドに波線状の切り込みを形成してバンド部材を構成しても構わない。以下、図６および図７を参照して、第３の実施形態に係るバンド部材３について説明する。
【００４７】
図６は、バンド部材３の斜視図である。図６に示すようにバンド部材３は、一定の幅をもつ円筒環状のゴムバンドの周方向に、連結部３２を残して当該ゴムバンドを環部３４Ａと環部３４Ｂとに２分する波線状の切り込み３１を入れた構造から成る。なお、上記ゴムバンドに形成された切り込み３１の両端部３３には当該ゴムバンド外周面から内周面へ貫通する略円形の穴が形成される。
【００４８】
上記のような構造から成るバンド部材３は、ゴム素材で一体的に形成されていることから、図７に示すように、切り込み３１で環部３４Ａおよび環部３４Ｂを切り開くことができる。なお、図７は、バンド部材３を切り込み３１で切り開いた様子を示す図である。切り込み３１で環部３４Ａおよび環部３４Ｂを切り開くと、切り込み３１により切り分けられて形成される環部３４Ａの切断部３５Ａおよび環部３４Ｂの切断部３５Ｂは、何れも波形状を成す。上記の通り、バンド部材３では切断部３５Ａおよび切断部３５Ｂに、それぞれ波形状の凹凸が形成されるため、例えば、環部３４Ａおよび環部３４Ｂ各々で束縛した物品から当該各環部を取り外す際、各々の切断部の凸部に指をかければ、各環部と物品との間に手を入れ易く、当該取り外し作業が容易となる。また、バンド部材３は、上記の通り切断部３５Ａおよび切断部３５Ｂにおいて第１の実施形態に係るバンド部材１および第２の実施形態に係るバンド部材２とは異なるデザイン性を有し、当該デザイン性は波線状の切り込みを形成するという簡単な形成方法によって容易に付与することができる。
【００４９】
（第４の実施形態）
上記第１の実施形態では、切り込み２１の両端部２３に当該ゴムバンド外周面から内周面へ貫通する略円形の穴を形成して連結部１２の両端を円弧状に形成する例を示したが、連結部の両端を円弧状に形成する方法は上記に限らない。例えば、ゴムバンドに所定幅の切り込みを形成し、当該切り込みの端部をＵ字状に形成することにより、連結部の両端を円弧状に形成しても構わない。以下、図８および図９を参照して、第４の実施形態に係るバンド部材４について説明する。
【００５０】
図８は、バンド部材４の斜視図である。図８に示すようにバンド部材４は、一定の幅をもつ円筒環状のゴムバンドの周方向に、連結部４２を残して当該ゴムバンドを環部４４Ａと環部４４Ｂとに２分するよう所定幅の切り抜き部４１を切り抜いた構造から成る。なお、切り抜き部４１の両端部４３はＵ字状に形成される。
【００５１】
上記のような構造から成るバンド部材４は、ゴム素材で一体的に形成されていることから、図９に示すように、切り抜き部４１で環部４４Ａおよび環部４４Ｂを切り開くことができる。なお、図９は、バンド部材４を切り抜き部４１で切り開いた様子を示す図である。上記の通り、バンド部材４は、連結部４２の両端部がＵ字状に形成されているため、環部４４Ａおよび環部４４Ｂをねじった態様で使用しても、連結部４２に切れ目が発生し難くなり、バンド部材４の破損を防ぐことができる。
【００５２】
（第５の実施形態）
上記第１の実施形態では、ゴムバンドに直線状の切り込み１１を一つ形成してバンド部材１を構成する例を示したが、ゴムバンドに複数の切り込みを形成してバンド部材を形成しても構わない。以下、図１０および図１１を参照して、第５の実施形態に係るバンド部材５について説明する。
【００５３】
図１０は、バンド部材５の斜視図である。図１０に示すようにバンド部材５では、一定の幅をもつ円筒環状のゴムバンドの周方向に、連結部５２αを残して、当該ゴムバンドを環部５４Ａと残りの環部とに分割する切り込み５１αが形成される。さらに、上記残りの環部には、連結部５２βを残して、当該残りの環部を環部５４Ｂと環部５４Ｃとに分割する切り込み５１βが周方向に形成される。なお、切り込み５１αと切り込み５１βとは互いに交わらないよう形成される。また、連結部５２αおよび連結部５２βは、ゴムバンドの環において互いに対向する箇所に形成される。また、上記ゴムバンドに形成された切り込み５１αおよび切り込み５１βの各両端部５３には当該ゴムバンド外周面から内周面へ貫通する略円形の穴が形成される。
【００５４】
上記のような構造から成るバンド部材５は、ゴム素材で一体的に形成されていることから、図１１に示すように、切り込み５１αおよび切り込み５１βで、環部５４Ａ、環部５４Ｂ、および環部５４Ｃを各々切り開くことができる。なお、図１１は、バンド部材５を切り込み５１αおよび切り込み５１βで切り開いた様子を示す図である。バンド部材５を切り込み５１αおよび切り込み５１βで切り開くと、当該バンド部材５を環部５４Ａ、環部５４Ｂ、および環部５４Ｃの３つの環が直列に連結した態様で使用することができる。したがって、複数の物品を、環部５４Ａ、環部５４Ｂ、および環部５４Ｃの各々に３つに分けて束縛して、直列に連結させることができる。
【００５５】
（第６の実施形態）
上記第５の実施形態では、ゴムバンドの環において複数の連結部が対向する箇所に形成されるように複数の切り込みを形成したバンド部材の例を示したが、ゴムバンドの環において複数の連結部が略同一箇所に形成されるように複数の切り込みを形成してバンド部材を形成しても構わない。以下、図１２および図１３を参照して、第６の実施形態に係るバンド部材６について説明する。
【００５６】
図１２は、バンド部材６の斜視図である。図１２に示すようにバンド部材６では、一定の幅をもつ円筒環状のゴムバンドの周方向に、連結部６２を残して、当該ゴムバンドを環部６４Ａと残りの環部とに分割する切り込み６１αが形成される。さらに、上記残りの環部には、上記連結部６２と同一箇所を連結部として残すように、当該残りの環部を環部６４Ｂと環部６４Ｃとに分割する切り込み６１βが周方向に形成される。なお、切り込み６１αと切り込み６１βとは互いに交わらないよう形成される。また、上記ゴムバンドに形成された切り込み６１αおよび切り込み６１βの各両端部６３には当該ゴムバンド外周面から内周面へ貫通する略円形の穴が形成される。
【００５７】
上記のような構造から成るバンド部材６は、ゴム素材で一体的に形成されていることから、図１３に示すように、切り込み６１αおよび切り込み６１βで、環部６４Ａ、環部６４Ｂ、および環部６４Ｃを各々切り開くことができる。なお、図１３は、バンド部材６を切り込み６１αおよび切り込み６１βで切り開いた様子を示す図である。バンド部材６を切り込み６１αおよび切り込み６１βで切り開くと、当該バンド部材６を環部６４Ａ、環部６４Ｂ、および環部６４Ｃの３つの環を一箇所で連結した態様で使用することができる。したがって、複数の物品を、環部６４Ａ、環部６４Ｂ、および環部６４Ｃの各々に３つに分け束ねて束縛して、一箇所で連結させることができる。
【００５８】
なお、上記第５の実施形態および第６の実施形態では、複数の連結部がゴムバンドの環において対向する箇所、または略同一箇所に位置するように形成される例を示したが、複数の連結部の形成箇所は上記に限らない。例えば、複数の連結部がゴムバンドの環において９０度ずれた位置に形成されるように、複数の連結部および切り込みを形成しても構わない。
【００５９】
また、上記第５の実施形態および第６の実施形態では、ゴムバンドに２つの切り込みを形成して、３つの環部が連結したバンド部材を構成する例について説明したが、ゴムバンドに形成する切り込みの数は上記に限らず、ゴムバンドに３つ以上の切り込みを形成して４つ以上の環が連結したバンド部材を構成しても構わない。
【００６０】
（第７の実施形態）
上記第１の実施形態では、ゴムバンドの周方向に直線状の切り込み１１を形成してバンド部材１を構成する例を示したが、ゴムバンドの周方向に螺旋状の切り込みを形成してバンド部材を構成しても構わない。以下、図１４および図１５を参照して、第７の実施形態に係るバンド部材７について説明する。
【００６１】
図１４は、バンド部材７の斜視図である。図１４に示すようにバンド部材７は、一定の幅をもつ円筒環状のゴムバンドの略周方向に、連結部７２を残して当該ゴムバンドを環部７４Ａと環部７４Ｂとに切り分ける螺旋状の切り込み７１を入れた構造から成る。なお、上記ゴムバンドに形成された切り込み７１の両端部７３には当該ゴムバンド外周面から内周面へ貫通する略円形の穴が形成される。
【００６２】
上記のような構造から成るバンド部材７は、ゴム素材で一体的に形成されていることから、図１５に示すように、切り込み７１で環部７４Ａおよび環部７４Ｂを切り開くことができる。なお、図１５は、バンド部材７を切り込み７１で切り開いた様子を示す図である。切り込み７１で環部７４Ａおよび環部７４Ｂを切り開くと、バンド部材７を、環部７４Ａおよび環部７４Ｂが所定長さの帯状の連結部７２で連結された態様で使用することができる。すなわち、バンド部材７によれば、環部７４Ａおよび環部７４Ｂ各々に束縛した物品を所定間隔をあけて連結させることができる。
【００６３】
なお、上記各実施形態では、一定の幅をもつ円筒環状のゴムバンドを加工して各実施形態に係るバンド部材を形成する例について示したが、当該ゴムバンドの形状は環状であれば上記に限らない。例えば、上記ゴムバンドの断面形状は円形状でも、多角形状でも構わないし、環の幅は一定でなくとも良い。
【００６４】
また、ゴムバンドに限らず、伸縮性を有する材質から成るバンドを加工して上記のようなバンド部材を形成しても構わない。例えば、伸縮性を有する合成樹脂製のバンド等を加工してバンド部材を形成しても構わない。
【００６５】
また、環状のゴムバンドを切断加工する代わりに、予め用意した型でゴム素材を型抜きしたり、予め用意した型に合成樹脂を流し込むなどしたりして、２つ以上の環部が連結した上記各実施形態に係るバンド部材を形成しても構わない。
【００６６】
さらに言えば、上記各実施形態に係るバンド部材は、必ずしも一体的に形成しなくても構わない。例えば、上記実施形態における環部に相当する伸縮性のある複数の環状部材を、各々、連結部で溶着させたり、金属製やプラスチック製の部品などでかしめ合わせたりなどして構成しても構わない。
【００６７】
また、上記各実施形態では、切り込みの両端に略円形状の穴を形成するなどして、連結部の両端を曲線形状に加工する例を示したが、十分な強度を有する部材を用いて当該バンド部材を形成可能ならば当該加工を省略しても構わない。
【産業上の利用可能性】
【００６８】
本考案に係るバンド部材は、複数の物品を、容易に個別に束縛して連結可能とするバンド部材などとして有用である。
【図面の簡単な説明】
【００６９】
【図１】バンド部材１の斜視図
【図２】バンド部材１を切り込み１１で切り開いた様子を示す図
【図３】バンド部材１を用いて雑誌に付録を備え付けた様子を示す図
【図４】バンド部材２の斜視図
【図５】バンド部材２を切り込み２１で切り開いた様子を示す図
【図６】バンド部材３の斜視図
【図７】バンド部材３を切り込み３１で切り開いた様子を示す図
【図８】バンド部材４の斜視図
【図９】バンド部材４を切り抜き部４１で切り開いた様子を示す図
【図１０】バンド部材５の斜視図
【図１１】バンド部材５を切り込み５１で切り開いた様子を示す図
【図１２】バンド部材６の斜視図
【図１３】バンド部材６を切り込み６１で切り開いた様子を示す図
【図１４】バンド部材７の斜視図
【図１５】バンド部材７を切り込み７１で切り開いた様子を示す図
【符号の説明】
【００７０】
１、２、３、４、５、６、７                  バンド部材
１１、２１、３１、５１、６１、７１    切り込み
１２、２２、３２、４２、５２、６２、７２    連結部
１３、２３、３３、４３、５３、６３、７３    端部
１４、２４、３４、４４、５４、６４、７４    環部
２５、３５                                  切断部
４１                                        切り抜き部
２００                                      雑誌
３００                                      付録
【図１】
0003148344.tif 000003
【図２】
0003148344.tif 000004
【図３】
0003148344.tif 000005
【図４】
0003148344.tif 000006
【図５】
0003148344.tif 000007
【図６】
0003148344.tif 000008
【図７】
0003148344.tif 000009
【図８】
0003148344.tif 000010
【図９】
0003148344.tif 000011
【図１０】
0003148344.tif 000012
【図１１】
0003148344.tif 000013
【図１２】
0003148344.tif 000014
【図１３】
0003148344.tif 000015
【図１４】
0003148344.tif 000016
【図１５】
0003148344.tif 000017